(57)【要約】【課題】半田付けによらずにコンデンサのリード線を接続する。【解決手段】フィルタ素子内蔵型コネクタは、ハウジング１０と、ハウジング１０に取り付けられて接地されるアース部材２６と、ハウジング１０に取り付けられた端子金具２１と、ハウジング１０に取り付けられ、コンデンサ本体３６からリード線３７Ｆ，３７Ｒを導出したコンデンサ３５と、アース部材２６に形成されたアース側接続部３１と、端子金具２１に形成された端子側接続部２５と、アース側接続部３１に弾性接触する弾性接触片４４を有し、リード線３７Ｒとアース側接続部３１を接続可能なアース用中継端子４０Ｒと、端子側接続部２５に弾性接触する弾性接触片４４を有し、リード線３７Ｆと端子側接続部２５を接続可能な端子用中継端子４０Ｆとを備える。【選択図】図１
2015088249.tif 000002
【特許請求の範囲】
【請求項１】
ハウジングと、
前記ハウジングに取り付けられて接地されるアース部材と、
前記ハウジングに取り付けられた端子金具と、
前記ハウジングに取り付けられ、コンデンサ本体からリード線を導出した形態のコンデンサと、
前記アース部材と前記端子金具のうち少なくとも一方に形成された接続部と、
前記接続部と前記リード線のうち少なくとも一方に弾性接触可能な弾性接触片を有し、前記リード線と前記接続部を接続する中継端子とを備えていることを特徴とするフィルタ素子内蔵型コネクタ。
【請求項２】
前記ハウジングに前記コンデンサ本体を取り付けるための取付部を備え、
前記リード線と前記接続部との方向が、前記取付部に対する前記コンデンサ本体の取付け方向とほぼ同じ方向とされていることを特徴とする請求項１記載のフィルタ素子内蔵型コネクタ。
【請求項３】
前記コンデンサ本体から導出される２本の前記リード線のうち一方の前記リード線に固着されたアース用の前記中継端子と、
前記２本のリード線のうち他方の前記リード線に固着された端子用の前記中継端子と、
前記アース部材に設けられたアース側の前記接続部と、
前記端子金具に設けられた端子側の前記接続部とを備え、
前記アース側の接続部に対する前記アース用の中継端子の嵌合方向と、前記端子側の接続部に対する前記端子用の中継端子の嵌合方向が、ほぼ同じ方向とされていることを特徴とする請求項１又は請求項２記載のフィルタ素子内蔵型コネクタ。
【発明の詳細な説明】
【技術分野】
【０００１】
本発明は、フィルタ素子内蔵型コネクタに関するものである。
【背景技術】
【０００２】
特許文献１には、ハウジング内に収容されたコンデンサと、ハウジングに取り付けられて自動車のボディ等に接地されるアース部材と、ハウジングに取り付けられた一対の端子金具とを備えたフィルタ素子内蔵型コネクタが開示されている。コンデンサは、コンデンサ本体から２本のリード線を導出した形態であり、一方のリード線はアース部材に接続され、他方のリード線は端子金具に接続されている。
【先行技術文献】
【特許文献】
【０００３】
【特許文献１】特許第４５２４３１８号公報
【発明の概要】
【発明が解決しようとする課題】
【０００４】
この種のフィルタ素子内蔵型コネクタにおいて、コンデンサのリード線をアース部材や端子金具に接続する手段としては、半田付けが行われる。しかし、半田付けによって接続する方法は、リード線の接続位置がコンデンサ本体に近い場合は、コンデンサ本体に対する熱の悪影響が懸念される。熱の悪影響を回避するためには、リード線を長くして半田付けの位置をコンデンサ本体から遠ざければよいのであるが、これは、コネクタ全体の大型化を招く虞がある。
本発明は上記のような事情に基づいて完成されたものであって、半田付けによらずにコンデンサのリード線を接続することを目的とする。
【課題を解決するための手段】
【０００５】
本発明のフィルタ素子内蔵型コネクタは、
ハウジングと、
前記ハウジングに取り付けられて接地されるアース部材と、
前記ハウジングに取り付けられた端子金具と、
前記ハウジングに取り付けられ、コンデンサ本体からリード線を導出した形態のコンデンサと、
前記アース部材と前記端子金具のうち少なくとも一方に形成された接続部と、
前記接続部と前記リード線のうち少なくとも一方に弾性接触可能な弾性接触片を有し、前記リード線と前記接続部を接続する中継端子とを備えているところに特徴を有する。
【発明の効果】
【０００６】
この構成によれば、リード線と接続部は、弾性接触片を有する中継端子を介して接続できるので、半田付けが不要である。
【図面の簡単な説明】
【０００７】
【図１】実施例１のフィルタ素子内蔵型コネクタの一部切欠平面図
【図２】コンデンサを組み付ける前の状態をあらわす平面図
【図３】図１のＡ−Ａ線断面図
【図４】図２のＢ−Ｂ線断面図
【図５】図３のＣ−Ｃ線部分拡大断面図
【発明を実施するための形態】
【０００８】
（１）本発明のフィルタ素子内蔵型コネクタは、前記ハウジングに前記コンデンサ本体を取り付けるための取付部を備え、前記リード線と前記接続部との方向が、前記取付部に対する前記コンデンサ本体の取付け方向とほぼ同じ方向とされていてもよい。この構成によれば、コンデンサ本体を取付部に取り付ける過程で、リード線と接続部を接続又は接近させることができるので、作業性が良い。
【０００９】
（２）本発明のフィルタ素子内蔵型コネクタは、前記コンデンサ本体から導出される２本の前記リード線のうち一方の前記リード線に固着されたアース用の前記中継端子と、前記２本のリード線のうち他方の前記リード線に固着された端子用の前記中継端子と、前記アース部材に設けられたアース側の前記接続部と、前記端子金具に設けられた端子側の前記接続部とを備え、前記アース側の接続部に対する前記アース用の中継端子の嵌合方向と、前記端子側の接続部に対する前記端子用の中継端子の嵌合方向が、ほぼ同じ方向とされていてもよい。この構成によれば、アース用の中継端子と端子用の中継端子を、アース側の接続部と端子側の接続部に対して同時に嵌合又は接近させることが可能であるから、作業性が良い。
【００１０】
＜実施例１＞
以下、本発明を具体化した実施例１を図１〜図５を参照して説明する。本実施例のフィルタ素子内蔵型コネクタは、合成樹脂製のハウジング１０と、一対の端子金具２１と、アース部材２６と、フィルタ素子として機能するコイル３２と、フィルタ素子として機能する一対のコンデンサ３５と、アース用中継端子４０Ｒ（請求項に記載のアース用の中継端子）と、端子用中継端子４０Ｆ（請求項に記載の端子用の中継端子）とを備えて構成されている。尚、以下の説明において、上下の方向については図３〜５に表れる向きを基準とし、前後方向については図１〜４における左側を前側と定義する。
【００１１】
＜ハウジング１０＞
ハウジング１０は、ハウジング本体１１と、カバー１８とを組み付けて構成されている。ハウジング本体１１は、インサート成形により一対の端子金具２１及びアース部材２６と一体化されている。ハウジング本体１１は、箱部１２とフード部１３とを有する。箱部１２は、前壁部１４、左右両側壁部１５、後壁部１６、底壁部１７とから構成されており、上面が開放されている。フード部１３は、前壁部１４の外周縁から前方へ角筒状に延出した形態である。カバー１８は、箱部１２の上面の開口を塞ぐように組み付けられる。
【００１２】
箱部１２内には、左右両側壁部１５の内面から張り出した形態の左右対称な一対の取付部１９が形成されている。取付部１９の内部空間は、上面が開放された前後方向の細長い溝状をなしている。箱部１２内には、左右両取付部１９同士を連結した形態であって、底壁部１７よりも上方の位置に配された支持部２０が形成されている。
【００１３】
＜端子金具２１＞
端子金具２１は、端子本体部２２と、脚部２３と、端子側接続部２５（請求項に記載の端子側の接続部）とから構成されている。一対の端子金具２１は、左右に並列するように配され、左右対称な形状をなしている。したがって、便宜上、形状については左側の端子金具２１についてのみ説明し、右側の端子金具２１については説明を省略する。
【００１４】
端子本体部２２は、前後方向に細長く延びた板状をなしており、箱部１２の前壁部１４を前後方向に貫通した状態でインサート成形によりハウジング１０（箱部１２）に一体化されている。したがって、端子本体部２２の前端側領域は、フード部１３内に収容され、図示しないワイヤーハーネスを構成する相手側端子（図示省略）に接続されるようになっている。端子本体部２２の後端側領域は、箱部１２内に収容されている。
【００１５】
脚部２３は、箱部１２内に配置され、端子本体部２２の後端部における左側縁部から下方へ延出した形態である。脚部２３の下端部には、左方へ延出して箱部１２の底壁部１７の上面に載置された形態の載置部２４が形成されている。載置部２４が底壁部１７の上面に載置されることにより、端子金具２１の後端側領域と脚部２３は、下方へ変位しないように支持されている。
【００１６】
載置部２４の左側縁には、端子側接続部２５が形成されている。端子側接続部２５は、載置部２４に対し直角に上方へ延出した細長い形状をなしている。端子側接続部２５の下端部は、端子側接続部２５に直接、連なる載置部２４と同様、箱部１２の底壁部１７の上面に載置されているので。端子側接続部２５は、端子用中継端子４０Ｆ（請求項に記載の端子用の中継端子）を介してコンデンサ３５のリード線３７Ｆ，３７Ｒに接続されるようになっている。この端子側接続部２５に対する端子用中継端子４０Ｆの嵌合方向は、鉛直下向き（つまり、底壁部１７に対して直角な方向）である。
【００１７】
＜アース部材２６＞
アース部材２６は、金属板材を所定形状に打ち抜いて曲げ加工等を施して成形されている。アース部材２６は、板状本体部２７と、段差部２８と、接地部２９とから構成されている。板状本体部２７は、全体として平面視方形の平板状をなしている。板状本体部２７のうち後端部を除いた広い領域は、インサート成形により支持部２０と底壁部１７との間に挟まれた状態で箱部１２（ハウジング１０）と一体化されている。段差部２８は、板状本体部２７の後端縁に連なり、底壁部１７の後端縁と後壁部１６の下端縁部とが連なる部分に沿うように左右方向に配されている。段差部２８の後端縁部は、後壁部１６を貫通している。
【００１８】
接地部２９は、段差部２８の後端縁に連なり、後壁部１６から後方へ延出している。接地部２９は、板状本体部２７に対し段差状に少し低く、且つ板状本体部２７と平行をなしている。接地部２９の下面はハウジング１０（ハウジング本体１１）の下面に対して面一状に連なっている。接地部２９の平面視形状は略方形である。接地部２９には、その板厚方向（上下方向）に貫通した形態の円形の取付孔３０が形成されている。フィルタ素子内蔵型コネクタは、アース部材２６の接地部２９を自動車のボディ等の接地面（図示省略）に当接させ、取付孔３０に貫通したボルト（図示省略）を接地面にねじ込むことにより、取り付けられるようになっている。
【００１９】
板状本体部２７の後端部における左右両側縁には、左右対称な一対のアース側接続部３１（請求項に記載のアース側の接続部）が形成されている。アース側接続部３１は、板状本体部２７に対し直角に上方へ延出した細長い形状をなしている。アース側接続部３１の下端部は、箱部１２の底壁部１７の上面に載置されている。これにより、アース側接続部３１が下方へ変位しないように支持されている。アース側接続部３１は、アース用中継端子４０Ｒ（請求項に記載のアース用の中継端子）を介してコンデンサ３５のリード線３７Ｆ，３７Ｒに接続されるようになっている。このアース側接続部３１に対するアース用中継端子４０Ｒの接続方向は、端子側接続部２５に対する端子用中継端子４０Ｆの接続方向と同じ方向である。
【００２０】
＜コイル３２＞
コイル３２は、軸線を前後方向に向けた円柱形のコア３３の外周に螺旋状に巻き付けられて構成されている。コイル３２は、箱部１２内に収容され、板状本体部２７の上方において支持部２０に載置されている。コイル３２の下方にはアース部材２６の板状本体部２７が配置されているが、両者の間は絶縁性の支持部２０によって電気的に絶縁されている。コイル３２の両端部は、左右両端子金具２１の端子本体部２２の後端部上面に、半田３４により導通可能に固着されている。したがって、コイル３２は、両端子金具２１に接続されたワイヤーハーネスにおけるノイズを除去又は低減するノイズフィルタとして機能を発揮する。
【００２１】
＜コンデンサ３５＞
コンデンサ３５は、コンデンサ本体３６と、コンデンサ本体３６から延出する前後一対のリード線３７Ｆ，３７Ｒとを備えて構成されている。コンデンサ本体３６は、側面視が横長の略方形をなし、幅寸法は、前後寸法及び上下寸法に比べて小さい。コンデンサ本体３６は、ハウジング１０の取付部１９に対し上方から落とし込むように取り付けられ、下端側領域が取付部１９内に収容されるようになっている。取付部１９に対するコンデンサ本体３６の取付け方向は、アース側接続部３１に対するアース用中継端子４０Ｒの嵌合方向、及び端子側接続部２５に対する端子用中継端子４０Ｆの嵌合方向と同じく、鉛直方向下向きとなっている。
【００２２】
一対のリード線３７Ｆ，３７Ｒは、コンデンサ本体３６の上面における前端部と後端部から上向きに導出されている。上向きに導出された前側のリード線３７Ｆは、前方へ転向し、更に下向きに転向するように屈曲されている。上向きに導出された後側のリード線３７Ｒは、後方へ転向し、更に下向きに転向するように屈曲されている。前側のリード線３７Ｆの下向きの先端部には、端子用中継端子４０Ｆが固着されている。後側のリード線３７Ｒの下向きの先端部には、アース用中継端子４０Ｒが固着されている。
【００２３】
＜アース用中継端子４０Ｒ及び端子用中継端子４０Ｆ＞
アース用中継端子４０Ｒは、所定形状に打ち抜いた金属板材に曲げ加工等を施して成型されたものである。図５に示すように、アース用中継端子４０Ｒは、角筒部４１と圧着部４２を直列状に並べて一体化したものである。角筒部４１は、長さ方向両端面が開放された貫通形態であり、角筒部４１内には弾性接触片４４が収容されている。弾性接触片４４は、角筒部４１を構成する基板部４３の先端縁（圧着部４２とは反対側の端縁）から延出した板状部を、角筒部４１内へ折り返して山形に屈曲変形させて形成されている。
【００２４】
圧着部４２は、オープンバレル状をなしている。圧着部４２は、後側のリード線３７Ｒの先端部に対し、圧着（カシメ付け）により導通可能に、且つ相対変位を規制された状態に固着されている。圧着部４２に圧着されたリード線３７Ｒの軸線方向と、角筒部４１の貫通方向と平行である。圧着部４２に圧着されたリード線３７Ｒの先端部は、下向きとなっているので、角筒部４１の貫通方向は上下方向である。
【００２５】
端子用中継端子４０Ｆは、構造、形状、寸法がアース用中継端子４０Ｒと同一の部品であり、角筒部４１と圧着部４２と弾性接触片４４とを有している。したがって、便宜上、端子用中継端子４０Ｆの形態については説明を省略する。圧着部４２は、前側のリード線３７Ｆの先端部に対し、圧着（カシメ付け）により導通可能に、且つ相対変位を規制された状態に固着されている。圧着部４２に圧着されたリード線３７Ｆの軸線方向と、角筒部４１の貫通方向と平行である。圧着部４２に圧着されたリード線３７Ｆの先端部は、下向きとなっているので、角筒部４１の貫通方向は上下方向である。
【００２６】
アース用中継端子４０Ｒの角筒部４１内には、その下方からアース側接続部３１が挿入されるようになっている。端子用中継端子４０Ｆの角筒部４１内には、その下方から端子側接続部２５が挿入されるようになっている。取付部１９に対するコンデンサ本体３６の取付け方向と、アース側接続部３１に対するアース用中継端子４０Ｒの角筒部４１の接続方向と、端子側接続部２５に対する端子用中継端子４０Ｆの角筒部４１の接続方向は、全て下向き、つまり全て同じ向きである。
【００２７】
＜実施例の作用及び効果＞
フィルタ素子内蔵型コネクタの製造工程を説明する。まず、インサート成形により、ハウジング本体１１を成形すると同時に、ハウジング本体１１とアース部材２６と一対の端子金具２１を一体化させる。その後、コイル３２を箱部１２内に収容し、コイル３２の両端部を、端子本体部２２の後端部上面に対し半田３４を用いて導通可能に接続する。半田３４による固着工程では、ハウジング本体１１にコンデンサ３５は収容されていない。
【００２８】
半田３４によるコイル３２と端子金具２１の接続が終了した後は、コンデンサ本体３６を取付部１９に対し上から落とし込むようにして取り付ける。この取付部１９への取付け工程では、前側のリード線３７Ｆに固着されている端子用中継端子４０Ｆの角筒部４１を、端子側接続部２５に対して上から嵌合するように接続するとともに、後側のリード線３７Ｒに固着されているアース用中継端子４０Ｒの角筒部４１を、アース側接続部３１に対して上から嵌合するように接続する。
【００２９】
端子側の角筒部４１内に嵌入された端子側接続部２５には、弾性接触片４４が弾性撓みした状態で接触し、これにより、前側のリード線３７Ｆと端子金具２１とが接続される。同様に、アース側の角筒部４１内に嵌入されたアース側接続部３１にも、弾性接触片４４が弾性撓みした状態で接触し、これにより、後側のリード線３７Ｒとアース部材２６とが接続される。これにより、π型のフィルタ回路が構成され、端子金具２１に接続された回路のノイズがコイル３２と２つのコンデンサ３５により効果的に除去される。
【００３０】
本実施例のフィルタ素子内蔵型コネクタは、ハウジング１０と、ハウジング１０に取り付けられて接地されるアース部材２６と、ハウジング１０に取り付けられた一対の端子金具２１と、ハウジング１０に取り付けられコンデンサ本体３６から２本のリード線３７Ｆ，３７Ｒを導出した形態の一対のコンデンサ３５と、アース部材２６に形成されたアース側接続部３１と、端子金具２１に形成された端子側接続部２５と、アース側接続部３１に弾性接触可能な弾性接触片４４を有し、後側のリード線３７Ｒとアース側接続部３１とを接続するアース用中継端子４０Ｒと、端子側接続部２５に弾性接触可能な弾性接触片４４を有し、前側のリード線３７Ｆと端子側接続部２５とを接続する端子用中継端子４０Ｆとを備えている。この構成によれば、リード線３７Ｆ，３７Ｒと接続部２５，３１は、弾性接触片４４を有する中継端子４０Ｆ，４０Ｒを介して接続できるので、半田３４が不要である。したがって、コンデンサ本体３６に熱による悪影響が及ぶことを回避できる。
【００３１】
また、ハウジング１０には、コンデンサ本体３６を取り付けるための取付部１９が形成され、アース側接続部３１に対するリード線３７Ｒの接続方向と、端子側接続部２５に対するリード線３７Ｆの接続方向が、取付部１９に対するコンデンサ本体３６の取付け方向とほぼ同じ方向である。この構成によれば、コンデンサ本体３６を取付部１９に取り付ける過程で、リード線３７Ｆ，３７Ｒと接続部２５，３１を接続又は接近させることができるので、作業性が良い。
【００３２】
また、コンデンサ本体３６から導出される２本のリード線３７Ｆ，３７Ｒのうち後側のリード線３７Ｒに固着されたアース用中継端子４０Ｒと、前側のリード線３７Ｆに固着された端子用中継端子４０Ｆと、アース部材２６に設けられたアース側接続部３１と、端子金具２１に設けられた端子側接続部２５とを備えている。そして、アース側接続部３１に対するアース用中継端子４０Ｒの嵌合方向と、端子側接続部２５に対する端子用中継端子４０Ｆの嵌合方向が、ほぼ同じ方向とされている。この構成によれば、アース用中継端子４０Ｒと端子用中継端子４０Ｆを、アース側接続部３１と端子側接続部２５に対して同時に嵌合又は接近させることが可能であるから、作業性が良い。
【００３３】
＜他の実施例＞
本発明は上記記述及び図面によって説明した実施例に限定されるものではなく、例えば次のような実施例も本発明の技術的範囲に含まれる。
（１）上記実施例では、アース側接続部３１をアース部材２６に一体に形成したが、アース側接続部は、アース部材とは別体の部品をアース部材に溶接等により導通可能に取り付けたものであってもよい。
（２）上記実施例では、端子側接続部２５を端子金具２１に一体に形成したが、端子側接続部は、端子金具とは別体の部品を端子金具に溶接等により導通可能に取り付けたものであってもよい。
（３）上記実施例では、接続部２５，３１をアース部材２６と端子金具２１の両方に設けたが、接続部は、アース部材の端子金具のうちいずれか一方のみに設けられていてもよい。
（４）上記実施例では、取付部１９に対するコンデンサ本体３の取付け方向と、アース側接続部３１に対するアース用中継端子４０Ｒの嵌合方向と、端子側接続部２５に対する端子用中継端子４０Ｆの嵌合方向が、ほぼ同じ方向であったが、これら３つの方向のうちいずれか１つが異なる方向であってもよく、これら３つの方向が全て互いに異なる方向であってもよい。
（５）上記実施例では、フィルタ素子としてのコイル３２を設けたが、コイルを設けない形態としてもよい。
（６）上記実施例では、アース部材２６の接地部２９を、前後方向においてコンデンサ３５を挟んで端子金具２１とは反対の後方へ突出するように配したが、アース部材に接地部を設けず、アース部材に設けたアース端子部を端子金具と並ぶように配置し、このアース端子部に、アース回路を接続してもよい。
（７）上記実施例では、アース部材２６と端子金具２１をインサート成形によってハウジング１０と一体化させたが、アース部材と端子金具は、成型済みのハウジングに組み付けてもよい。
（８）上記実施例では、中継端子４０Ｆ，４０Ｒをリード線３７Ｆ，３７Ｒ側に設けて固着したが、中継端子は、接続部側に設けてもよい。この場合、中継端子は、接続部に固着してもよく、接続部に一体に形成してもよい。
（９）上記実施例では、中継端子４０Ｆ，４０Ｒをリード線３７Ｆ，３７Ｒに固着したが、中継端子は、接続部に固着してもよく、リード線と接続部のいずれにも固着しない形態でも良い。後者の場合、中継端子に一対の弾性接触片を設け、この２つの弾性接触片をリード線と接続部に弾性接触させればよい。
【符号の説明】
【００３４】
１０…ハウジング
１９…取付部
２１…端子金具
２５…端子側接続部（端子側の接続部）
２６…アース部材
３１…アース側接続部（アース側の接続部）
３５…コンデンサ
３６…コンデンサ本体
３７Ｆ，３７Ｒ…リード線
４０Ｆ…端子用中継端子（端子用の中継端子）
４０Ｒ…アース用中継端子（アース用の中継端子）
４４…弾性接触片
【図１】
2015088249.tif 000003
【図２】
2015088249.tif 000004
【図３】
2015088249.tif 000005
【図４】
2015088249.tif 000006
【図５】
2015088249.tif 000007